(57)【要約】【課題】１つの形成すべき画像につき、２回のトナー像形成を行うことで、画像形成装置１、現像装置２５の小型化に対応しつつ、画像濃度ムラがなく、形成される画像の品質が良好で長期間にわたり安定する画像形成装置１を提供する。【解決手段】像担持体と、静電潜像を形成するための露光装置２４と、現像ローラ２８から像担持体にトナーを供給し静電潜像をトナー像として形成する１又は複数の現像装置２５と、現像されたトナー像が重ね合わされて１次転写される中間転写部３０とを有し、形成する画像の画像情報を受け取り、像担持体の軸線方向に沿って画像情報を複数の画像領域に分割する画像処理部５５を備え、分割された画像領域について交互にトナー像形成を行い、２回のトナー像形成を行う画像形成装置。【選択図】図３
2008158382.tif 000002
【特許請求の範囲】
【請求項１】
表面が一様に帯電され、回転される１又は複数の像担持体と、画像情報に基づき表面が一様に帯電された前記像担持体を露光することで静電潜像を形成するための１又は複数の露光装置と、トナーを収容するとともにトナーの薄層が形成され像担持体に対向して配置され、回転される現像ローラから前記像担持体にトナーを供給し前記像担持体上の静電潜像をトナー像として形成する１又は複数の現像装置と、現像されたトナー像が重ね合わされて１次転写される中間転写部とを有し、
形成する画像の画像情報を受け取り、前記像担持体の軸線方向に沿って画像情報を複数の画像領域に分割する画像処理部を備え、
１回目のトナー像形成においては、分割された前記画像領域に対し、トナー像を形成した前記画像領域に隣接する前記画像領域についてはトナー像を形成せず、トナー像を形成しなかった前記画像領域に隣接する前記画像領域のトナー像の形成を行って、交互に全画像情報のうちの一部のみについてトナー像の形成を行い、２回目のトナー像形成においては、トナー像を形成しなかった前記画像領域についてトナー像を形成することを特徴とする画像形成装置。
【請求項２】
前記画像処理部は、前記像担持体の周長単位で画像情報を複数の画像領域に分割することを特徴とする請求項１記載の画像形成装置。
【請求項３】
前記画像処理部は、前記現像ローラの周速を前記像担持体の周速で割った値である周速比で前記現像ローラの周長を割った長さの単位で画像情報を複数の画像領域に分割することを特徴とする請求項１記載の画像形成装置。
【請求項４】
前記現像装置は、複数設けられていて、それぞれ異なる色のトナーを収容しており、
前記画像処理部は、形成すべきカラー画像を、トナーの色ごとの画像情報に分解し、分解されたそれぞれの画像情報に対して、前記像担持体の軸線方向に沿って画像情報を複数の画像領域に分割し、各色の画像情報について２回のトナー像形成を行うことを特徴とする請求項１乃至３いずれか１項に記載の画像形成装置。
【請求項５】
複数の色のトナーのうち、特定の色のトナーについてのみ、前記画像処理部は、前記像担持体の軸線方向に沿って画像情報を複数の画像領域に分割し、その特定の色のトナーの画像についてのみ、その色の画像情報について２回のトナー像形成を行うことを特徴とする請求項４に記載の画像形成装置。
【請求項６】
使用者が前記画像形成装置を操作するための操作入力部を備えており、
前記操作入力部は、形成すべき１つの画像に対し、２回のトナー像形成を行うか否か選択できるようになっていることを特徴とする請求項１乃至５いずれか１項に記載の画像形成装置。
【発明の詳細な説明】
【技術分野】
【０００１】
本発明は、プリンタ、複写機、ファクシミリ等の画像形成装置に関する。特に、フルカラー対応の画像形成装置に関する。
【背景技術】
【０００２】
従来、画像形成装置には、像担持体に形成された静電潜像を現像装置によりトナー像として現像し、そのトナー像を転写材、例えば用紙に転写し、画像を形成するという方式を採るものがある（電子写真方式）。そして、例えば、モノクロの画像形成装置は、ブラック（ＢＫ）のトナーを収容した現像装置を備えていて、モノクロの画像を形成する。一方、フルカラー画像を形成できる画像形成装置にあっては、例えば、イエロー（Ｙ）、シアン（Ｃ）、マゼンタ（Ｍ）、ブラック（ＢＫ）といった複数の色のトナーを使用できるようにするため、それぞれの色のトナーを収容する複数の現像装置を備え、３原色、ブラックが適宜重ね合わされて、フルカラーの画像が得られる。
【０００３】
そして、画像形成装置においては、文字のみからなる画像だけでなく、写真、イラスト、印刷物等のハーフトーン部を中心とした画像を形成することがある。従って、高画質な画像形成装置を得るためには、モノクロ、フルカラーを問わず、ハーフトーン領域の階調性、色再現性を高める必要がある。そこで、ハーフトーン領域の階調性を高めて、高画質化を図るための技術として、１つの画像に対し、２回の画像形成プロセスを行う技術が知られている。
【０００４】
このような技術が特許文献１に記載されている。特許文献１記載の発明は、原稿画像に対応する複写画像を形成するフルカラー複写機において、複写プロセスは、原稿の画像情報を網点分解して低濃度の階調性を高める第１の複写プロセスと、第１の複写プロセスより高い現像電位を印加する第２の複写プロセスの２つの複写プロセスを実行して１つの複写画像を形成するフルカラー複写機が示されている。（請求項１参照）。このように構成することで、階調域の拡大及び特に高濃度部の鮮明度を向上させようとしている（発明が解決しようとする課題の欄参照）。
【特許文献１】特開平０３−２１２６６２号
【発明の開示】
【発明が解決しようとする課題】
【０００５】
ここで、画像形成装置において、形成される画像濃度にムラが発生することがあるという問題がある。この画像濃度のムラは、画質を低下させる要因となる。この画像濃度のムラが発生する要因としては、ドラムメモリ及び、現像ゴーストが知られている。
【０００６】
ドラムメモリについて説明すると、ドラムメモリとは、像担持体として感光体ドラムを用いる場合、前に感光体ドラムの周面上に形成された画像が、次に形成される画像に履歴として現れることをいう（画像カブリとして現れることが多い）。一般に、感光体ドラムの表面に静電潜像が形成され、この静電潜像にトナーが供給されてトナー像が形成されるが、このドラムメモリは、トナーに含まれる表面処理剤等の外添剤の影響や、トナー像を中間転写部や用紙に転写する際に印加される感光体ドラムの帯電極性と逆極性の転写バイアスの影響や、感光体ドラムに再度静電潜像を形成するためになされる除電の影響により、露光前の感光体ドラムの帯電の電位が不均一となることが、原因とされる。
【０００７】
又、現像ゴーストについて説明すると、現像ゴーストとは、以前の現像においてトナーが消費された領域にトナーを補いきれず、現像ローラの周面上のトナーの薄層厚が不均一となって、以前の現像の履歴がトナーの濃度ムラとして現れることをいう（白く抜ける形で現れる）。一般に、現像装置から感光体ドラムにトナーを供給する場合、現像ローラを用いる。この現像ローラにトナーの薄層を形成し、その現像ローラを回転させつつ感光体ドラムに対向させて、トナーを感光体ドラムに供給するが、例えば、高濃度の画像形成が続いた場合、トナーの薄層形成が追いつかず、以前の現像においてトナーが消費された領域はトナーの層厚が薄くなってしまう。そのため、以前の現像の履歴がトナーの濃度不足、即ち現像ゴーストとして現れる。
【０００８】
このような、ドラムメモリ、現像ゴーストといった履歴現象による画像濃度の濃度ムラは、画質低下を招く。特に、近年、省資源、低コスト化、スペースの有効利用等の観点から、画像形成装置の小型化が進展している。又、これに併せて、像担持体（感光体ドラム）、現像装置（現像ローラ）は、小径化される。感光体ドラムが小径化すれば、感光体ドラムの周長が短くなるから、１つの画像を形成するために要する感光体ドラムの回転数が、従来よりも増加する。又、同様に現像ローラの小径化により、１つの画像を形成するために要する現像ローラの回転数が従来よりも増えることになる。即ち１つの画像を形成するために、感光体ドラム及び現像ローラの回転数が増加する。又、現像装置が小型化されると、現像装置内のトナー量が少なくなり、一度に大量のトナーが補給されるなどしてトナーの帯電が不足し、不安定になるという問題がある。
【０００９】
従って、画像形成装置を小型化すれば、感光体ドラムや現像ローラが使用される状態が従来よりも長くなるから、感光体ドラムのクリーニングや帯電の安定のための時間をとり難く、又、現像ローラ上のトナー薄層の均一化のための時間をとり難くなる。更に、帯電が不十分なトナーが用いられると、画像カブリや濃度ムラの原因となる。即ち、ドラムメモリや、現像ゴーストのような画像の濃度ムラが１つの画像上に現れ易くなり、画質が低下するという問題がある。
【００１０】
そこで、特許文献１記載の発明に、現像ローラを有する現像装置を適用してみると、特許文献１記載の発明によれば、１つ原稿画像について２回の画像形成を行い、階調域の拡大及び特に高濃度部の鮮明度を向上させて高品質の画像を得ることが可能ではある。しかし、特許文献１記載の発明は、ドラムメモリ、現像ゴーストによる画像の濃度ムラについては、全く考慮されておらず、現にこれらの点に言及した記載はない。むしろ、２回連続で画像形成プロセスを行い、感光体ドラム、現像装置の使用状態が続くから、特に高濃度の画像形成が続くと、結果として、ドラムメモリ、現像ゴーストというメモリ現象による画像の濃度ムラが発生し、画像品質が低下してしまう場合があるという問題がある。
【００１１】
又、特許文献１記載の発明は、画像形成装置を小型化した場合、高濃度部分を強調するからトナーの消費量はむしろ増加すると言え、トナーの帯電不足を生じ易く、又、現像ローラ上の均一な薄層形成が困難になることは明らかであって、画像の濃度ムラが生じ画像形成装置の小型化に対応しきれないという問題がある。又、画像形成プロセスを必ず２回行うものであるから、画像形成速度が遅くなってしまうという問題もある。
【００１２】
本発明は、上記従来技術の問題点に鑑みてなされたものであり、１つの形成すべき画像につき、２回のトナー像形成を行うことで、画像形成装置、現像装置の小型化に対応しつつ、画像濃度ムラがなく、形成される画像の品質が良好で長期間にわたり安定する画像形成装置を提供することを課題とする。
【課題を解決するための手段】
【００１３】
上記課題を解決するため請求項１に係る発明は、表面が一様に帯電され、回転される１又は複数の像担持体と、画像情報に基づき表面が一様に帯電された前記像担持体を露光することで静電潜像を形成するための１又は複数の露光装置と、トナーを収容するとともにトナーの薄層が形成され像担持体に対向して配置され、回転される現像ローラから前記像担持体にトナーを供給し前記像担持体上の静電潜像をトナー像として形成する１又は複数の現像装置と、現像されたトナー像が重ね合わされて１次転写される中間転写部とを有し、形成する画像の画像情報を受け取り、前記像担持体の軸線方向に沿って画像情報を複数の画像領域に分割する画像処理部を備え、１回目のトナー像形成においては、分割された前記画像領域に対し、トナー像を形成した前記画像領域に隣接する前記画像領域についてはトナー像を形成せず、トナー像を形成しなかった前記画像領域に隣接する前記画像領域のトナー像の形成を行って、交互に全画像情報のうちの一部のみについてトナー像の形成を行い、２回目のトナー像形成においては、トナー像を形成しなかった前記画像領域についてトナー像を形成することとした。
【００１４】
又、請求項２に係る発明は、請求項１記載の画像形成装置において、前記画像処理部は、前記像担持体の周長単位で画像情報を複数の画像領域に分割することとした。
【００１５】
又、請求項３に係る発明は、請求項１記載の画像形成装置において、前記画像処理部は、前記現像ローラの周速を前記像担持体の周速で割った値である周速比で前記現像ローラの周長を割った長さの単位で画像情報を複数の画像領域に分割することとした。
【００１６】
又、請求項４に係る発明は、請求項１乃至３いずれか１項に記載の画像形成装置において、前記現像装置は、複数設けられていて、それぞれ異なる色のトナーを収容しており、前記画像処理部は、形成すべきカラー画像を、トナーの色ごとの画像情報に分解し、分解されたそれぞれの画像情報に対して、前記像担持体の軸線方向に沿って画像情報を複数の画像領域に分割し、各色の画像情報について２回のトナー像形成を行うこととした。
【００１７】
又、請求項５に係る発明は、請求項４に記載の画像形成装置において、複数の色のトナーのうち、特定の色のトナーについてのみ、前記画像処理部は、前記像担持体の軸線方向に沿って画像情報を複数の画像領域に分割し、その特定の色のトナーの画像についてのみ、その色の画像情報について２回のトナー像形成を行うこととした。
【００１８】
又、請求項６に係る発明は、請求項１乃至５いずれか１項に記載の画像形成装置において、使用者が前記画像形成装置を操作するための操作入力部を備えており、前記操作入力部は、形成すべき１つの画像に対し、２回のトナー像形成を行うか否か選択できるようになっていることとした。
【発明の効果】
【００１９】
請求項１記載の発明によれば、１つの形成すべき画像を複数の画像領域に分割し、画像領域を交互に２回に分けてトナー像形成を行うから、トナー像を形成しない画像領域部分において像担持体でトナー像を形成しない時間を設けることができ、クリーニングや除電といった像担持体の表面電位を均一にするための時間を得ることができる。又、トナー像を形成しない画像領域部分において現像ローラ上のトナーが消費されない時間を設けることができ、トナーの薄層の均一化及び現像装置内のトナーが急激に減少することもなくトナーの帯電を安定させるための時間を得ることができる。従って、ドラムメモリや現像ゴーストのような画像濃度ムラの発生を防止することができる。
【００２０】
又、画像形成装置が小型化され、それに併せて像担持体及び現像ローラが小径化されたとしても、像担持体の表面電位が不均一になることを防止でき、現像ローラのトナーの薄層厚が不均一になることを防止でき、トナーの帯電のための時間が確保され、トナーの帯電が安定するから、画像形成装置の小型化に十分対応でき、小型化と形成される画像の高品質化を両立させた画像形成装置を提供することができる。
【００２１】
請求項２記載の発明によれば、請求項１記載の発明の効果に加え、形成する画像を像担持体の周長単位で分割するから、像担持体が一回転される間、トナー像形成が行われない時間を設けることができる。従って、像担持体の全周面についてクリーニングや、表面電位の安定化を図ることができ、ドラムメモリに対して、特に有効な画像形成装置を提供することができる。尚、トナー像形成が行われない時間においては、現像ローラでもトナーの消費がなされないから、トナーの薄層厚を均一にすることやトナーの帯電を安定化でき、現像ゴーストに対しても有効である。
【００２２】
請求項３記載の発明によれば、請求項１記載の発明の効果に加え、現像ローラの周速を像担持体の周速で割った値である周速比で現像ローラの周長を割った長さの単位で像担持体でのトナー像形成を行うから、現像ローラでトナーが消費される領域を適度に分散させることができ、現像ローラ１回転につき、常にトナーが消費されない領域を設けることができる。従って、トナーの薄層厚を均一にし易くなり、トナーの帯電を安定化でき、特に現像ゴーストに対して有効な画像形成装置を提供することができる。尚、像担持体側も、一定の領域ではトナー像の形成がなされないから、その領域において、クリーニングや、表面電位の安定化を図ることができ、ドラムメモリ対策としても有効である。
【００２３】
請求項４記載の発明によれば、請求項１乃至３記載の発明の効果に加え、フルカラー対応の画像形成装置にも適用できるから、特にムラの目立ちやすいフルカラーの画像形成を行った場合でも品質の高い画像形成を実現できる。例えば、不要な色差が生ずることなくハーフトーン部分における階調性や再現性を高めることができる。
【００２４】
請求項５記載の発明によれば、請求項１乃至４記載の発明の効果に加え、特定の一色のみについて、２回のトナー像形成を行うから、全ての色について２回のトナー像形成を行う場合に比べ、画像形成速度を高めることができる。
【００２５】
請求項６記載の発明によれば、請求項１乃至５記載の発明の効果に加え、使用者が例えば、操作入力部に示される高画質モードのように２回のトナー像形成を行うか否か選択できるようになっているから、多少の時間がかかるものの２回のトナー像形成を行って高画質の画像を形成するか、画像形成速度を重視して２回のトナー像形成を行わないかを選択でき、使用者の利便性が高くなる。
【発明を実施するための最良の形態】
【００２６】
以下、本発明の実施形態について図１〜４を参照しつつ説明する。但し、本実施の形態に記載されている構成、配置等の各要素は、発明の範囲を限定するものではなく単なる説明例にすぎない。
【００２７】
最初に、本発明の実施形態に係る画像形成装置１について、図１を用いてその構造の概略を説明しつつ、画像出力動作を説明する。図１は、本発明の実施形態に係る画像形成装置１の概略構造を示す模型的垂直断面側面図である。
【００２８】
図１に示すように、画像形成装置１の本体の内部下方には、用紙Ｐを積載して収容するためのカセット１０が配置されている。カセット１０の内部に用紙Ｐが積まれて収容される。カセット１０の用紙搬送方向下流部上方には、ピックアップローラ１１が配置されている。このピックアップローラ１１により、用紙Ｐは図１においてカセット１０の上方に向けて送り出される。
【００２９】
カセット１０の用紙搬送方向下流には、用紙搬送路１２、レジストローラ対１３、画像形成部２０、中間転写部３０等が配置されている。カセット１０から送り出された用紙Ｐは、用紙搬送路１２を通ってレジストローラ対１３に到達する。レジストローラ対１３は、用紙Ｐの斜め送りを矯正しつつ、画像形成部２０で形成されるトナー像とのタイミングを計り、用紙Ｐを中間転写部３０へと送り出す。
【００３０】
外部コンピュータ（不図示）からの文字や図形、模様等の画像情報が画像形成装置１に送信され、この画像情報に基づき、感光体ドラム２２上に静電潜像が形成され、この静電潜像からトナー像が現像される。現像されたトナー像は、中間転写ベルト３１に１次転写ニップ部Ｎ１にて１次転写され（カラーの場合は重ね合わされる。）、その後、レジストローラによって同期をとって送られてきた用紙Ｐに、中間転写ベルト３１と２次転写ローラ３６とが圧接して形成する２次転写ニップ部Ｎ２にて転写される。
【００３１】
画像形成部２０、及び中間転写部３０の用紙搬送方向下流には、定着装置４０、用紙搬送路４１、及び用紙排出部４２が配置されている。２次転写ニップ部Ｎ２にて未定着トナー像を担持した用紙Ｐは、定着装置４０へと送られ、加熱ローラ４３、加圧ローラ４４によりトナー像が加圧加熱され、トナーが溶融・定着する。定着装置４０から排出された用紙Ｐは、用紙搬送路４１を通って上方へ送られ、本体の上面に設けられた用紙排出部４２から機外に排出される。
【００３２】
続いて、本発明の実施形態に係る画像形成装置１の画像形成部２０、中間転写部３０周辺の詳細な構成について、図２を用いて説明する。図２は、本発明の実施形態に係る画像形成装置１の画像形成部２０、中間転写部３０周辺を示す模型的垂直断面部分拡大図である。
【００３３】
図２に示すように、画像形成部２０には、主として４つの画像形成ユニット２１Ｂ、２１Ｙ、２１Ｃ、２１Ｍが配されている。画像形成ユニット２１Ｂはブラックのトナー像を、画像形成ユニット２１Ｙはイエローのトナー像を、画像形成ユニット２１Ｃはシアンのトナー像を、画像形成ユニット２１Ｍはマゼンタのトナー像を形成する。尚、各画像形成ユニット２１Ｂ、２１Ｙ、２１Ｃ、２１Ｍの構成は同様であるから、以下では、Ｂ、Ｙ、Ｃ、Ｍの符号を省略し画像形成ユニット２１として、以下、特に説明がない限り統一して説明する。従って、画像形成ユニット２１Ｂ、２１Ｙ、２１Ｃ、２１Ｍは同様に説明できる。
【００３４】
中間転写部３０は、４つの１次転写ローラ３２、中間転写ベルト３１、駆動ローラ３３、テンションローラ３４、２次転写ローラ３６、ベルトクリーニング装置３５等から構成されている。画像形成ユニット２１の感光体ドラム２２に対して、それぞれ１次転写ローラ３２が中間転写ベルト３１を介して圧接されており、１次転写のための１次転写ニップ部Ｎ１が形成されている。
【００３５】
まず、画像形成ユニット２１について説明すると、図２に示すように、画像形成ユニット２１の中心に像担持体としての感光体ドラム２２が備えられている。そして、感光体ドラム２２上部から回転方向に沿って順に、帯電装置２３、露光装置２４、現像装置２５、クリーニング装置２６、除電装置２７が配置されている。
【００３６】
前記感光体ドラム２２は、本実施形態における画像形成装置１では、計４本配されており、画像形成装置１内の用紙搬送方向と直角をなす用紙幅方向、すなわち図２の紙面奥行き方向に延び、その軸線方向を水平にして配置されている。感光体ドラム２２には、アルミニウム等により構成される導電性のローラ状の基体の外側に、真空蒸着等によってアモルファスシリコン等の感光層が設けられている。感光層の厚さは、例えば、約２０μｍとすることができる。又、感光体ドラム２２は、図示しない駆動装置によって、回転駆動される。
【００３７】
前記帯電装置２３は、帯電ローラ２３ａを備えている。帯電ローラ２３ａは、感光体ドラム２２の表面を一様に帯電させるため感光体ドラム２２と接しており、所定の方向に回転するようになっている。尚、帯電装置２３としては、ローラの代わりにブラシ等を用いたものでもよく、コロナ放電帯電器を用いた非接触型の帯電装置２３であってもよい。
【００３８】
前記露光装置２４は、一様に帯電された感光体ドラム２２の表面に対し、外部コンピュータ等からから送られた原稿（文字、画像、写真等）の画像情報、即ちデジタル電気信号に基づいて、光を感光体ドラム２２の表面に照射し、静電潜像を形成するためのものである。露光装置２４から照射される光をコントロールすることで、トナーをのせるべき画像の部分に相当する電荷が消去され、感光体ドラム２２の表面に静電潜像が形成される。光源としては多数のＬＥＤからなるＬＥＤプリントヘッドを用いてもよく、レーザ光を照射するレーザユニットにより露光装置２４を構成してもよい。
【００３９】
現像装置２５には、図２に示すように、感光体ドラム２２に対向して配される現像ローラ２８が設けられている。現像ローラ２８には、感光体ドラム２２の帯電極性と同極性のバイアスが印加される。この現像ローラ２８により、現像剤であるトナーが帯電する。又、現像ローラ２８には現像ローラ２８上に形成されるトナーの層厚を規制し、トナーの薄層を形成するための例えば金属製のブレード状に形成された規制部材２５ａが当接されている。このようにトナーは、現像ローラ２８上に薄層に形成された上で感光体ドラム２２の表面の静電潜像に向けて供給され、静電潜像が現像される。
【００４０】
尚、現像装置２５においては、画像形成ユニット２１Ｂにおける現像装置２５はブラックのトナーを収容し、画像形成ユニット２１Ｙにおける現像装置２５はイエローのトナーを収容し、画像形成ユニット２１Ｃにおける現像装置２５はシアンのトナーを収容し、画像形成ユニット２１Ｍにおける現像装置２５はマゼンタのトナーを収容してそれぞれの色のトナー像を形成し、これらを適宜重ね合わせることでフルカラーの画像を形成できる。
【００４１】
更に、現像装置２５の上方に、現像装置２５にトナーを補給するための例えば、コンテナ状のトナー供給容器２９Ｂ、２９Ｙ、２９Ｃ、２９Ｍが設けられる。トナー供給容器２９Ｂはブラックのトナーを、トナー供給容器２９Ｙはイエローのトナーを、トナー供給容器２９Ｃはシアンのトナーを、トナー供給容器２９Ｍはマゼンタのトナーを収容し、それぞれ対応する色の現像装置２５に補給手段（不図示）によりトナーを供給する（図１参照）。
【００４２】
前記クリーニング装置２６は、図２に示すように、感光体ドラム２２の回転方向に沿って、１次転写ニップ部Ｎ１のさらに下流側に配置されている。クリーニング装置２６は、クリーニングローラ２６ａ、クリーニングブレード２６ｂを備えている。
【００４３】
クリーニングローラ２６ａ、及びクリーニングブレード２６ｂは、図示しないばね等の弾性部材により付勢され、感光体ドラム２２に押し付けられる。クリーニングローラ２６ａ、及びクリーニングブレード２６ｂは感光体ドラム２２の軸線方向に延び、感光体ドラム２２の感光層とほぼ同じ軸線方向長さを有している。効率良くクリーニングを実施するために、場合によって、クリーニングローラ２６ａは、図示しない駆動装置により、その周速度が感光体ドラム２２の周速度に対して１５〜２０％程度速くなるように、回転軸に関して感光体ドラム２２の回転方向と逆方向に回転するようにすることができる。このようなクリーニングローラ２６ａ、及びクリーニングブレード２６ｂによって、中間転写ベルト３１へのトナー像の転写後、感光体ドラム２２表面に残留したトナーを除去してクリーニングが行われる。尚感光体ドラム２２表面から除去されたトナーは、最終的に回収される。
【００４４】
前記除電装置２７は、一旦静電潜像が形成された感光体ドラム２２表面を再び均一に帯電させるため、感光体ドラム２２の表面を全て除電するためのものであり、例えばＬＥＤで構成され、感光体ドラム２２の軸線方向にわたって光を照射することで除電を行う。尚、ＥＬ（エレクトロルミネッセンス）光源、蛍光灯等公知の光源を用いることもできる。
【００４５】
次に、中間転写部３０について説明する。
【００４６】
図２に示すように、中間転写部３０は、画像形成部２０の下方に設けられていて、中間転写ベルト３１、１次転写ローラ３２、駆動ローラ３３、テンションローラ３４、ベルトクリーニング装置３５、２次転写ローラ３６から構成されている。中間転写部３０は、各感光体ドラム２２上で形成されるトナー像を１次転写ニップ部Ｎ１により順次重ね合わせた上で、２次転写ニップ部Ｎ２にて用紙Ｐにトナー像を転写するためのものである。
【００４７】
前記中間転写ベルト３１は、無端状に形成されたベルトであって、中間転写部３０において張架されるものである。中間転写ベルト３１には、画像形成部１０で形成されたトナー像が１次転写される。
【００４８】
各感光体ドラム２２に対向するようにして、それぞれ１次転写ローラ３２が配されている。又、２次転写ローラ３６に対向するようにして駆動ローラ３３が配され、図２において、駆動ローラ３３かつ画像形成ユニット２１Ｍの右方にテンションローラ３４が配されている。そして、１次転写ローラ３２、駆動ローラ３３、テンションローラ３４に中間転写ベルト３１が張架される。又、駆動ローラ３３には中間転写ベルト３１を介し２次転写ローラ３６が圧接され、駆動ローラ３３の上方にはベルトクリーニング装置３５が接して設けられる。
【００４９】
前記１次転写ローラ３２は、計４本設けられ、各感光体ドラム２２に中間転写ベルト３１を介して圧接し、１次転写ニップ部Ｎ１を形成する。転写ローラは、回転可能に支持されている。又、１次転写ローラ３２には、転写バイアスが必要に応じて印加される。尚、図２において、中間転写ベルト３１の回転方向を矢印で示す。
【００５０】
前記駆動ローラ３３は、モータ、ギア等の駆動装置（不図示）によって回転駆動し、駆動ローラ３３が回転することで、１次転写ローラ３２、テンションローラ３４、中間転写ベルト３１が回転される。前記テンションローラ３４は、中間転写ベルト３１を的確な張力を与えつつ張架するためのものである。
【００５１】
２次転写ローラ３６は、中間転写ベルト３１に対し接離自在に設けられていて、形成すべき画像のトナー像の全てが中間転写ベルト３１上で重ね合わされた場合、駆動ローラ３３に圧接され２次転写ニップ部Ｎ２が形成される。その際、レジストローラ対１３は、用紙Ｐの的確な位置にトナー像を転写するためタイミングを図りつつ、２次転写ニップ部Ｎ２に用紙Ｐを進入させる。２次転写の際に、２次転写ローラ３６に所定の転写バイアスが印加される。これにより、トナー像が中間転写ベルト３１から用紙Ｐに転写される。
【００５２】
ベルトクリーニング装置３５も、中間転写ベルト３１に対し、接離自在に設けられており、２次転写終了後の中間転写ベルト３１に残留するトナーや付着物を除去しクリーニングをするためのものである。尚、ベルトクリーニング装置３５は、２次転写完了後中間転写ベルト３１に所定の範囲圧接し、その後、次の中間転写ベルト３１へのトナー像の１次転写の邪魔にならないように離間する。
【００５３】
尚、基本的な画像形成動作について簡単に説明する。この画像形成装置１は、入力された形成すべき画像の画像情報に基づき、以下のように画像形成動作を実行する。
【００５４】
まず、帯電装置２３よって像担持体としての感光体ドラム２２が帯電される。その後、この感光体ドラム２２に対して、露光装置２４より画像情報に対応した走査露光が行われ、感光体ドラム２２に静電潜像が形成される。次に、現像装置２５のトナーの薄層が表面上に形成された現像ローラ２８から感光体ドラム２２の静電潜像がトナーによって現像される。現像されたトナー像は、中間転写ベルト３１に転写される。以上の動作を各画像形成ユニット２１が同様に行い、中間転写ベルト３１上にフルカラーのトナー像が重ね合わされる。尚、例えば、黒色の単色画像を形成する場合は、以上の動作を１度行えばよい。又、感光体ドラム２２上に転写後に残留したトナー等は、ドラムクリーニング装置２６により清掃され、除電装置２７により感光体ドラム２２は除電される。
【００５５】
一方で、給紙部において、カセット１０又から１枚の用紙Ｐがピックアップローラ１１等により取り出され、レジストローラ対１３まで搬送される。その後、用紙Ｐは、レジストローラ対１３から中間転写ベルト３１上に形成されたトナー像にタイミングを合わせて搬送され、２次転写ローラ３６に案内される。２次転写ローラ３６は中間転写ベルト３１に当接し、２次転写ローラ３６に所定の電圧を印加し、中間転写ベルト３１上に形成されたトナー像が用紙Ｐに転写される。この用紙Ｐは定着装置４０に案内され、この定着装置４０によりトナー像が用紙Ｐに定着される。画像形成済みの用紙Ｐは排出トレイ４３が受け止める。
【００５６】
次に、本発明の実施形態に係るトナー像を２回にわけて形成するための制御、構成について、図３及び４を用いて説明する。図３は、本発明の実施形態に係る制御部５０のブロック図である。図４は、本発明の実施形態に係る画像領域の分割の一例を示す説明図である。
【００５７】
図３に示すように、本実施形態では、トナー像の形成を制御するための構成として画像形成装置１内に制御部５０が設けられる。この制御部５０には、入力された形成すべき画像の画像情報が送り込まれる。そして画像形成を行うため、例えば、帯電装置２３、露光装置２４、各現像装置２５、感光体ドラム２２等から構成される画像形成部２０や中間転写部３０等と信号線でつながっている。
【００５８】
ここで、制御部５０は、画像形成装置１を使用する上で必要となる画像形成装置１に係る多くの制御も行うために基板上に複数の機能を統合させる中央処理的な制御部５０の一部に構成されていてもよいし、本発明の実施のために別途、制御部５０が設けられてもよい。尚、図２では、本発明の実施に必要となる部分について図示している。
【００５９】
制御部５０は、中央演算処理装置としてのＣＰＵ５１、制御に必要となる画像形成装置１の状態の情報やプログラムを記憶させておくことや、画像情報を一時的若しくは長期的に保存しておくことができるようにするため、読み出し専用の記憶部であるＲＯＭ５２、読み書き自在の記憶部であるＲＡＭ５３、場合によりハードディスクドライブ（ＨＤＤ５４）等の記憶装置を有する。尚、制御部５０は、画像形成部２０、中間転写部３０等の動作を制御したり、各装置に設けられたセンサ等からのデータの入出力を行ったりするために、Ｉ／Ｆ（インターフェイス）（不図示）を備える。
【００６０】
そして、本実施形態においては、本発明を実施するため制御部５０に、画像処理部５５と算出部５６が設けられている。
【００６１】
前記画像処理部５５は、形成する画像の画像情報を受け取り、像担持体（感光体ドラム２２）の軸線方向（出力方向及び用紙搬送方向に垂直な方向）に沿って画像情報を複数の画像領域に分割する。そして、分割の一例を図４に示している。ここで、詳細は後述するが、分割された画像領域における用紙搬送方向における幅Ｗは、任意に定めることが可能であり、又、発明の効果が顕著に表れるように一定の幅とすることができる。尚、図４では、ＡとＢの符号が付された画像領域における用紙搬送方向における幅Ｗは等しく設定されている。又、Ｂ´の符号が付された画像領域は、その余りの部分である。
【００６２】
この分割された画像領域の画像情報をもとに、制御部５０は、例えば、露光装置２４に感光体ドラム２２において露光すべき部分のデータを送信するなどして、１枚の画像につき、２回に分けてトナー像を形成するように画像形成部２０、中間転写部３０を制御する。尚、前記露光装置２４が露光すべき部分を指定するためのデータは、画像処理部５５が作成し提供してもよい。
【００６３】
１つの形成すべき画像の画像情報を複数の画像領域を分割すれば、図４に示すように１つの形成すべき画像が複数に分割される。そして、制御部５０は、１回目のトナー像形成においては、分割された画像領域に対し、まず、最初の画像領域についてトナー像を形成し、トナー像を形成した画像領域に隣接する画像領域についてはトナー像を形成せず、トナー像を形成しなかった画像領域に隣接する画像領域のトナー像の形成を行って、交互に全画像情報のうちの一部のみについてトナー像の形成を行い、２回目のトナー像形成においては、トナー像を形成しなかった画像領域についてトナー像を形成するように、画像形成部２０及び中間転写部３０を制御する。具体的に例えると、図４に示すように、分割された画像領域の内、１回目はＡの符号が付された画像領域について、２回目は、Ｂ及びＢ´の符号が付された画像領域についてトナー像の形成を行う。
【００６４】
このように複数の画像領域に分割し、２回に分けてトナー像形成を行うことで、１枚の画像形成において感光体ドラム２２及び現像ローラ２８の周面の全部又は一部を使用しない時間を設けることができる。従って、感光体ドラム２２のクリーニングや、現像ローラ２８の薄層形成のための時間を得ることができ、画像ムラが発生し難くなる。又、画像形成装置１を小型化し、感光体ドラム２２や現像ローラ２８を小径化して、１枚の画像を形成するために複数回、感光体ドラム２２や現像ローラ２８を回転させる必要がある場合でも画像ムラが発生し難くなり、小型化の要請に対応した画像形成装置１を提供することができる。又、複数の画像領域に分割する方法は像担持体の軸線方向に沿って分割するだけであり、画像処理として簡易であり、制御部５０や画像処理部５５における計算処理が過大なものとならず処理速度が速い。
【００６５】
画像情報を複数の画像領域に分割するための具体的な方法としては、例えば画像処理部５５は、感光体ドラム２２の周長単位で画像情報を複数の画像領域に分割したり、画像処理部５５は、現像ローラ２８の周速を感光体ドラム２２の周速で割った値である周速比で現像ローラ２８の周長を割った長さの単位で画像情報を複数の画像領域に分割したりしてもよい。即ち、図４に示すように、ＡとＢの符号が付され分割された画像領域の出力方向（用紙搬送方向）における幅Ｗの長さは等しくなっているが、この長さを上記に示すような単位とする。
【００６６】
感光体ドラム２２の周長単位で画像情報を複数の画像領域に分割すれば、感光体ドラム２２を１回転分休ませることができ、クリーニングや除電を２回行えるから、主としてドラムメモリに対して有効である。尚、現像ローラ２８も使用しない状態となるからトナーの薄層を均一化するための時間を得ることができ現像ゴーストに対しても有効である。即ち、濃度ムラの発生が防がれる。
【００６７】
一方、画像処理部５５は、現像ローラ２８の周速を像担持体の周速で割った値である周速比で現像ローラ２８の周長を割った長さの単位で画像情報を複数の画像領域に分割した場合、一般に現像ローラ２８は、感光体ドラム２２よりも周長が短くなっているから、感光体ドラム２２の１周分の周面でみると、トナー像が形成される部分と形成されない部分ができる。尚、現像ローラ２８と感光体ドラム２２の周速が同一であり、現像ローラ２８と感光体ドラム２２の周長が同じであれば、感光体ドラム２２の１回転に対し現像ローラ２８は１回転し、現像ローラ２８及び感光体ドラム２２についてそれぞれ１回転分の時間を得ることになる。これにより、現像ローラ２８の周面において、現像に使用する部分と使用しない部分を設けることができ、主として、現像ゴースト対策に対し有効となる。しかし、感光体ドラム２２においても、トナー像が形成されない部分では、クリーニング等の時間をとることができ、ドラムメモリに対しても有効である。即ち、濃度ムラの発生が防がれる。
【００６８】
ここで、本実施形態における前記現像装置２５は、複数設けられていて、それぞれ異なる色のトナーを収容しているから、フルカラー画像に対し、２回のトナー像形成を行うためには、形成すべきカラー画像を、トナーの色ごとの画像情報に分解する必要がある。そのため、画像処理部５５は、外部のコンピュータ等により入力される形成すべき画像についての画像情報、即ちデジタル信号を、複数の現像装置２５が収容するトナーの色ごとの画像情報（ブラック、イエロー、シアン、マゼンダの黒色及び３原色）に分解する。そして画像処理部５５は、分解された各色の画像情報に対して、感光体ドラム２２の軸線方向に沿って画像情報を複数の画像領域に分割し、制御部５０は、各色の画像情報について２回のトナー像形成を行うように画像形成部２０や中間転写部３０を制御する。これによりフルカラーの画像についても濃度ムラのない高品質の画像を形成できる。尚、本発明は、フルカラー対応の画像形成装置１だけでなくモノクロの画像形成装置にも適用できるものであって、フルカラーの画像形成装置１に限定されるものではない。
【００６９】
更に、複数の色のトナーのうち、特定の色のトナーについてのみ、前記画像処理部５５は、前記像担持体の軸線方向に沿って画像情報を複数の画像領域に分割し、その特定の色のトナーの画像についてのみ、その色の画像情報について２回のトナー像形成を行うようにしてもよい。これにより、例えば、ドラムメモリや現像ゴーストといった画像の濃度ムラが生じやすい特定の色のトナーにのみ２回のトナー像形成を行って、画像形成速度を高めることが可能となる。本実施形態では、いわゆるタンデム色のカラー対応の画像形成装置１について説明しているが、本発明は、いわゆるロータリ式の現像装置２５を有する画像形成装置１にも適用可能であって、特に、ロータリ式の現像装置２５を有する画像形成装置１において有効である。
【００７０】
特定の色のトナーの画像についてのみ、その色の画像情報について２回のトナー像形成を行うための構成としては、例えば、形成された画像についての濃度ムラを確認するためのセンサ４７を設けることが考えられる。センサ４７を設ける位置は適宜定めることができるが、例えば、用紙搬送方向における定着装置４０よりも下流側において設けることが考えられる（図１参照）。このセンサ４７により、検出されたデータは、例えば、制御部５０に送られ、画像処理部５５や、ＲＡＭ５３に一時的に保管されている形成した画像データと照合し濃度ムラが発生しているか判断することができる。尚、判断方法としては、上記のものに限られず、濃度ムラが発生していることを検知できればよい。
【００７１】
又、算出部５６を利用することも可能である。算出部５６は、単色の画像情報又は画像処理部５５で分解された各色の画像情報の印字率を算出するためのものである。ここで印字率とは、画像を形成する用紙Ｐにおける全画素数に対するトナーをのせるべき画素数（積算数）の割合である。尚、例えば、文字や線などのベタ塗り部分については、ベタ塗りすべき領域の画素数をカウントするが、写真や絵などのハーフトーン（中間調）部分については一定の領域について、トナーをのせる部分とのせない部分に細かく分けることで色彩、濃淡、階調等を表わすから、ベタ塗り部分と、ハーフトーン部分を考慮して印字率は算出される。
【００７２】
印字率が高く、高濃度の画像形成を行うと、ドラムメモリが発生したり、現像ローラ２８の表面上のトナーが大量に消費されて、薄層形成が間に合わず現像ゴーストが発生したり、補給されたばかりで十分に撹拌されておらず、帯電が不足したトナーが現像に使用されたりして画像カブリが発生する。そのため、本実施形態では、いずれかの色の形成すべき画像において、算出部５６で算出された値が所定値以上である場合、その特定の色の画像形成において、トナー像形成を２回に分けて行うようにしてもよい。
【００７３】
具体的な、印字率の所定値は、画像形成装置１に併せて適宜設定することが可能であるが、例えば約１０〜３０％の範囲で定めることが可能である。例えば、大型の画像形成装置１１においては、感光体ドラム２２、現像装置２５も大型のものを備えることができるから、１０％程度の印字率であっても、高濃度の画像形成が連続しない限り画像の濃度ムラはあまり生じず、３０％程度以上の印字率になって画像の濃度ムラが発生することも多い。しかし、近年の画像形成装置１の小型化により、小型化された画像形成装置１においては、感光体ドラム２２、現像ローラ２８等も小型化されているから、約１０％程度以上、現像装置２５やトナーの構成により場合によっては７〜８％の印字率であっても画像の濃度ムラは生じることがある。
【００７４】
従って、印字率の所定値は、例えば１０〜３０％の範囲で定めることが可能であるが、好ましくは１０％、小型化された画像形成装置１の場合を考慮すると、より好ましくは８％、更に好ましくは７％とすれば、画像形成装置１の大小を問わず、画像の濃度ムラの発生を防ぐことができる。
【００７５】
尚、センサ４７や印字率等だけでなく、画像形成装置１の仕様や用いるトナー等により画像形成装置１の性質上、特定の色について濃度ムラが発生し易い場合もあり、その濃度ムラの発生しやすい色について、トナー像形成を２回に分けて行うようにしてもよい。
【００７６】
更に、本実施形態における画像形成装置１においては、使用者が画像形成装置１を操作するための操作入力部４８を備えており、操作入力部４８は、形成すべき１つの画像に対し、２回のトナー像形成を行うか否か選択できる。２回のトナー像形成を行えば、形成される画像を高品質にできるものの、画像形成速度は一般に遅くなってしまう。又、場合によっては、画質よりも速度を優先したいことがある。そこで、使用者が例えば高画質モードのように、２回のトナー像形成を行うことを選択するための操作入力部４８を本実施形態の画像形成装置１は備える。
【００７７】
操作入力部４８から本発明に係る高画質モードの選択は、画像形成装置１の例えば上面に、画像形成装置１の種々の他の設定を行うために設けられる液晶パネルや複数の操作ボタン（不図示）により入力されるようにしてもよい。即ち、画像形成装置１に関する他の操作、設定の内の１つとして高画質モードが選択される。又、使用者側の端末（コンピュータ）から形成する画像データを画像形成装置１に送信する際に、併せて高画質モードを選択する旨の信号（データ）を送信させ、それを操作入力部４８が受け付けるようにしてもよい。即ち、使用者が、２回のトナー像形成を行うことを選択できればよい。
【００７８】
このようにして、表面が一様に帯電され、回転される１又は複数の感光体ドラム２２と、画像情報に基づき表面が一様に帯電された像担持体を露光することで静電潜像を形成するための１又は複数の露光装置２４と、トナーを収容するとともにトナーの薄層が形成され像担持体に対向して配置され、回転される現像ローラ２８から像担持体にトナーを供給し像担持体上の静電潜像をトナー像として形成する１又は複数の現像装置２５と、現像されたトナー像が重ね合わされて１次転写される中間転写部３０とを有し、形成する画像の画像情報を受け取り、像担持体の軸線方向に沿って画像情報を複数の画像領域に分割するとともに、例えば、露光装置２４に像担持体に対し露光すべき部分の画像情報を提供するためのデータを作成する画像処理部５５を備え、１回目のトナー像形成においては、分割された画像領域に対し、トナー像を形成した画像領域に隣接する画像領域についてはトナー像を形成せず、トナー像を形成しなかった画像領域に隣接する画像領域のトナー像の形成を行って、交互に全画像情報のうちの一部のみについてトナー像の形成を行い、２回目のトナー像形成においては、トナー像を形成しなかった画像領域についてトナー像を形成するようにすれば、トナー像を形成しない画像領域部分において像担持体でトナー像を形成しない時間を設けることができ、クリーニングや像担持体の表面電位を均一にするための時間を得ることができる。又、トナー像を形成しない画像領域部分において現像ローラ２８上のトナーが消費されない時間を設けることができ、トナーの薄層の均一化及びトナーの帯電を安定させるための時間を得ることができる。従って、ドラムメモリや現像ゴーストのような画像濃度ムラの発生を防止することができる。
【００７９】
更に、画像形成装置１が小型化され、それに併せて像担持体及び現像装置２５が小型化されたとしても、像担持体の表面電位が不均一になることを防止でき、現像ローラ２８のトナーの薄層厚が不均一になることを防止でき、トナーの帯電のための時間が確保され、トナーの帯電が安定するから、画像形成装置１の小型化に十分対応でき、小型化と形成される画像の高品質化を両立させた画像形成装置１を提供することができる。
【００８０】
又、画像処理部５５は、像担持体の周長単位で画像情報を複数の画像領域に分割するようにすれば、像担持体が１回転される間、トナー像形成が行われない時間を設けることができる。従って、像担持体の全周面についてクリーニングや、表面電位の安定化を図ることができ、ドラムメモリに対して、特に有効な画像形成装置１を提供することができる。尚、トナー像形成が行われない時間においては、現像ローラ２８でもトナーの消費がなされないから、トナーの薄層厚を均一にすることやトナーの帯電を安定化でき、現像ゴーストに対しても有効である。
【００８１】
又、画像処理部５５は、現像ローラ２８の周速を像担持体の周速で割った値である周速比で現像ローラ２８の周長を割った長さの単位で画像情報を複数の画像領域に分割するようにすれば、現像ローラ２８でトナーが消費される領域を適度に分散させることができ、現像ローラ２８１回転につき、常にトナーが消費されない領域を設けることができる。従って、トナーの薄層厚を均一にし易くなり、トナーの帯電を安定化でき、特に現像ゴーストに対して有効な画像形成装置１を提供することができる。尚、像担持体側も、一定の領域ではトナー像の形成がなされないから、その領域において、クリーニングや、表面電位の安定化を図ることができ、ドラムメモリ対策としても有効である。
【００８２】
又、現像装置２５は、複数設けられていて、それぞれ異なる色のトナーを収容しており、画像処理部５５は、形成すべきカラー画像を、トナーの色ごとの画像情報に分解し、分解されたそれぞれの画像情報に対して、像担持体の軸線方向に沿って画像情報を複数の画像領域に分割し、各色の画像情報について２回のトナー像形成を行うようにすれば、フルカラー対応の画像形成装置１にも適用できるから、特にムラの目立ちやすいフルカラーの画像形成を行った場合でも品質の高い画像形成を実現できる。例えば、不要な色差が生ずることなくハーフトーン部分における階調性や再現性を高めることができる。
【００８３】
又、複数の色のトナーのうち、特定の色のトナーについてのみ、画像処理部５５は、像担持体の軸線方向に沿って画像情報を複数の画像領域に分割し、その特定の色のトナーの画像についてのみ、その色の全画像情報について２回のトナー像形成を行うようにすれば、特定の一色のみについて、２回のトナー像形成を行うから、全ての色について２回のトナー像形成を行う場合に比べ、画像形成速度を高めることができる。
【００８４】
又、使用者が画像形成装置１を操作するための操作入力部４８を備えており、操作入力部４８は、形成すべき１つの画像に対し、２回のトナー像形成を行うか否か選択できるようになっているようにすれば、使用者が例えば、操作入力部４８に示される高画質モードのように２回のトナー像形成を行うか否か選択できるようになっているから、多少の時間がかかるものの２回のトナー像形成を行って高画質の画像を形成するか、画像形成速度を重視して２回のトナー像形成を行わないかを選択でき、使用者の利便性が高くなる。
【００８５】
以上、本発明の実施形態につき説明したが、本発明の範囲はこれに限定されるものではなく、発明の主旨を逸脱しない範囲で種々の変更を加えて実施することができる。例えば、本実施形態における画像形成装置１は、いわゆるタンデム式の現像装置２５を用いる場合について示したが、例えば、１つの感光体ドラム２２に対し複数の現像装置２５を備えたロータリ式現像ユニットを有するカラー対応の画像形成装置１にも適用することが可能である。又、本発明は、カラーだけでなくモノクロの画像形成装置１にも適用できる。
【産業上の利用可能性】
【００８６】
本発明は、中間転写部を有する画像形成装置に利用可能である。
【図面の簡単な説明】
【００８７】
【図１】本発明の実施形態に係る画像形成装置の概略構造を示す模型的垂直断面側面図である。
【図２】本発明の実施形態に係る画像形成装置の画像形成部、中間転写部周辺を示す模型的垂直断面部分拡大図である。
【図３】本発明の実施形態に係る画像形成装置の制御部のブロック図である。
【図４】本発明の実施形態に係る画像形成装置による画像領域の分割の一例を示す説明図である。
【符号の説明】
【００８８】
１    画像形成装置
２２  感光体ドラム（像担持体）
２４  露光装置
２５  現像装置
２８  現像ローラ
３０  中間転写部
４８  操作入力部
５５  画像処理部
【図１】
2008158382.tif 000003
【図２】
2008158382.tif 000004
【図３】
2008158382.tif 000005
【図４】
2008158382.tif 000006